(57)【特許請求の範囲】
【請求項１】
第１次洗浄部、破砕部及び第２次洗浄部を一体構造の槽内に設けることにより下水処理場から回収されたスクリーン渣を受け入れてスクリーン渣の破砕と洗浄を行うようにした処理槽と、処理槽外に配設して破砕洗浄後のスクリーン渣を処理槽外に搬送する移送ポンプとからなることを特徴とするスクリーン渣の処理システム。
【請求項２】
処理槽の第１次洗浄部の上流側の側壁及び底部に給水ノズルを配設したことを特徴とする請求項１記載のスクリーン渣の処理システム。
【請求項３】
処理槽の破砕部に、複数枚のディスク状カッターを回転軸に固定した複数の破砕ユニットを、破砕ユニットのディスク状カッター同士を重なり合うように配設して構成したディスク式破砕機を配設したことを特徴とする請求項１又は２記載のスクリーン渣の処理システム。
【請求項４】
処理槽の破砕部の導入部に、複数枚のディスクを回転軸に固定した複数のスクリーンユニットを、隣接するスクリーンユニットのディスク同士を重なり合うように配設して構成したディスク式スクリーンを配設し、ディスク式破砕機に隣接するディスク式スクリーンのスクリーンユニットのディスクと、ディスク式破砕機の破砕ユニットのディスク状カッターを重なり合うように配設したことを特徴とする請求項３記載のスクリーン渣の処理システム。
【請求項５】
処理槽の第２次洗浄部の移送ポンプの吸込管接続部の上流側に、攪拌機を配設したことを特徴とする請求項１、２、３又は４記載のスクリーン渣の処理システム。
【発明の詳細な説明】
【０００１】
【発明の属する技術分野】
本発明は、スクリーン渣の処理システムに関し、特に、下水処理場等にて回収されたスクリーン渣を、コンパクトな設備により確実に破砕洗浄して衛生的に処理することができるとともに、保守の容易なスクリーン渣の処理システムに関するものである。
【０００２】
【従来の技術】
従来、下水処理場等にて回収されたスクリーン渣は、図８〜図１０に示すように、ベルトコンベアＣから、洗浄機Ｗ、脱水機Ｄ及びベルトコンベアＣＯを経て、貯留ホッパーＨへ搬送するようにしている。
【０００３】
【発明が解決しようとする課題】
このように、従来のスクリーン渣の処理システムは、スクリーン渣の搬送にベルトコンベアＣ、ＣＯを用いるようにしているため、その設置スペースが大きくなるだけでなく、スクリーン渣から発生した悪臭が周囲の環境を悪化させるという問題があった。
この臭気を防ぐため、ベルトコンベアをカバーで覆うことも考えられるが、スクリーン渣の搬送に用いられるベルトコンベアＣ、ＣＯは、長大なため密閉化が困難で、費用がかかり、さらに、ベルトコンベアをカバーで覆うようにすると、ローラ等の消耗部材の点検、補修に手数を要するという新たな問題が生じるという問題があった。
このほか、ベルトコンベアＣ、ＣＯは、スクレーパＣｓにスクリーン渣が残り、このため定期的な清掃が必要であるとともに、ベルトのリターン側の下方に設けた受け皿に、スクレーパで取りきれなかったスクリーン渣が落ちて不衛生となるため、洗浄設備が不可欠であり、さらに、大きな設備の設置スペースを必要とするという問題があった。
【０００４】
また、図１１に示すように、上部に破砕機Ｓを配設した処理槽２内に、給水ノズル２１、２２を配設するとともに、下部にスクリーン渣を搬送するためのジェットポンプＪを配設するようにしたスクリーン渣の処理システムが提案されている。
しかしながら、このスクリーン渣の処理システムは、破砕機Ｓが処理槽の上部に設置されているため、水の飛散、水洩れのおそれがあること、また、流水トラフの移送水に比べジェットポンプＪの揚水量が少ないため、処理槽２からオーバーフローする水量が多くなることから流水トラフは使用できず、必然的にスクリーン渣の搬送には、ベルトコンベアを使用せざるを得ないものとなり、また、ジェットポンプを駆動するための電動機の容量が大きくなるという問題があった。
【０００５】
さらに、図１２に示すように、上部に破砕機Ｓを配設した処理槽２内に、攪拌機４及び水中ポンプＰを配設するようにしたスクリーン渣の処理システムが提案されている。
しかしながら、このスクリーン渣の処理システムは、破砕機Ｓが処理槽の上部に設置されているため、水の飛散、水洩れのおそれのある流水トラフは使用できず、必然的にスクリーン渣の搬送には、ベルトコンベアを使用せざるを得ないものとなり、また、処理槽２内に配設した水中ポンプＰが閉塞を起こしやすく、ポンプ、ケーブルにスクリーン渣が付着し、定期的な清掃が必要となるという問題があった。
【０００６】
本発明は、上記従来のスクリーン渣の処理システムの有する問題点に鑑み、  下水処理場等にて回収されたスクリーン渣を、コンパクトな設備により確実に破砕洗浄して衛生的に処理することができるとともに、保守の容易なスクリーン渣の処理システムを提供することを目的とする。
【０００７】
【課題を解決するための手段】
上記目的を達成するため、本発明のスクリーン渣の処理システムは、第１次洗浄部、破砕部及び第２次洗浄部を一体構造の槽内に設けることにより下水処理場から回収されたスクリーン渣を受け入れてスクリーン渣の破砕と洗浄を行うようにした処理槽と、処理槽外に配設して破砕洗浄後のスクリーン渣を処理槽外に搬送する移送ポンプとからなることを特徴とする。
【０００８】
このスクリーン渣の処理システムは、１つの処理槽内に第１次洗浄部、破砕部及び第２次洗浄部をコンパクトに設けるようにしているため、ヘドロ等が付着したスクリーン渣の破砕及び洗浄を小さなスペースで一貫して行うことができるとともに、破砕部が処理槽内に組み込まれて設置されているため、流水トラフの使用が可能となり、スクリーン渣をコンパクトな設備により確実に破砕洗浄して衛生的に処理することができ、また、破砕洗浄後のスクリーン渣を処理槽外に搬送する移送ポンプを処理槽外に配設していることと相俟って、保守が容易となる。
【０００９】
この場合において、処理槽の第１次洗浄部の上流側の側壁及び底部に給水ノズルを配設することができる。
【００１０】
これにより、スクリーン渣を給水ノズルから噴射される洗浄水によって確実に第１次洗浄することができるとともに、スクリーン渣の沈澱を防止してスクリーン渣を破砕部に向けて円滑に移送することができる。
【００１１】
また、処理槽の破砕部に、複数枚のディスク状カッターを回転軸に固定した複数の破砕ユニットを、破砕ユニットのディスク状カッター同士を重なり合うように配設して構成したディスク式破砕機を配設することができる。
【００１２】
これにより、損失水頭が小さく、後段の第２次洗浄部の洗浄に用いる水量を確保することができる。
【００１３】
この場合、処理槽の破砕部の導入部に、複数枚のディスクを回転軸に固定した複数のスクリーンユニットを、隣接するスクリーンユニットのディスク同士を重なり合うように配設して構成したディスク式スクリーンを配設し、ディスク式破砕機に隣接するディスク式スクリーンのスクリーンユニットのディスクと、ディスク式破砕機の破砕ユニットのディスク状カッターを重なり合うように配設することができる。
【００１４】
これにより、スクリーン渣を破砕機に確実に導いて破砕することができるとともに、後段の第２次洗浄部の洗浄に用いる水量をより確実に確保することができる。
【００１５】
また、処理槽の第２次洗浄部の移送ポンプの吸込管接続部の上流側に、攪拌機を配設することができる。
【００１６】
これにより、スクリーン渣を確実に洗浄することができるとともに、水中でスクリーン渣を拡散することによって、移送ポンプの閉塞を防止し、破砕洗浄後のスクリーン渣を処理槽外に円滑に搬送することができる。
【００１７】
【発明の実施の形態】
以下、本発明のスクリーン渣の処理システムの実施の形態を図面に基づいて説明する。
【００１８】
図１〜図４に、本発明のスクリーン渣の処理システムの第１実施例を示す。
このスクリーン渣の処理システムは、下水処理場等にて回収されたスクリーン渣を処理槽２へ搬送する流水トラフ１、スクリーン渣を破砕洗浄する処理槽２、処理槽２の外に配設した移送ポンプ５、移送配管６及びスクリーン渣分離機７から構成される。
【００１９】
スクリーン渣を処理槽２へ搬送するために用いられる流水トラフ１は、構造が簡単で、消耗部品がなく、費用も低廉であることから、多量の水分及びヘドロを含み、不衛生で、悪臭が発生しやすいスクリーン渣を、衛生的に移送するのに優れている。
【００２０】
この流水トラフ１に接続した処理槽２は、その内部を、流水トラフ１の接続側から、第１次洗浄部２ａ、破砕部２ｂ及び第２次洗浄部２ｃに区分し、その内部で流水トラフ１から供給された多量の水分及びヘドロを含むスクリーン渣の洗浄と破砕を一貫処理できるように、以下に記載する各種装置が配設されている。
【００２１】
処理槽２の第１次洗浄部２ａには、給水ノズル２１，２２，２３を配設し、これにより、ヘドロを含むスクリーン渣を給水ノズル２１，２２，２３から噴射される洗浄水によって第１次洗浄するとともに、固形分の沈澱を防止し、スクリーン渣を破砕部２ｂに向けて円滑に移送するようにする。
そして、給水ノズル２１，２２，２３は、第１次洗浄部２ａの上流側（スクリーン渣が導入される側）の側壁及び底部に設置することが好ましいが、この場合、図３〜図４に示すように、給水ノズル２１，２２，２３から噴射される洗浄水の噴射方向が、それぞれ異なるように設置することがより好ましい。
【００２２】
処理槽２の略中央位置に設けられる破砕部２ｂには、破砕機３を設置し、この破砕機３により、スクリーン渣を所定の大きさに破砕した後、スクリーン渣を第２次洗浄部２ｃに向けて移送し、第２次洗浄部２ｃにおいて、破砕されたスクリーン渣を洗浄するようにする。
【００２３】
破砕部２ｂに設置する破砕機３には、本実施例においては、２軸回転式破砕機、より具体的には、複数枚のディスク状カッター３２を回転軸３１に固定した２台の破砕ユニット３０を、破砕ユニット３０のディスク状カッター３２同士を重なり合うように配設して構成したディスク式破砕機を用い、この破砕機３を、第１次洗浄部２ａから送られたスクリーン渣を、すべて確実に破砕することができるように、略ハ字形に配設した案内板２４，２４の間に配設するようにする。
これにより、損失水頭が小さく、後段の第２次洗浄部２ｃの洗浄に用いる水量を確保することができる。
【００２４】
そして、この破砕部２ｂは、上記のように構成するほか、図５〜図７に示す本発明のスクリーン渣の処理システムの第２実施例のように、破砕部２ｂの導入部に、複数枚のディスク３２Ａを回転軸３１Ａに固定した複数のスクリーンユニット３０Ａを、隣接するスクリーンユニット３０Ａのディスク３２Ａ同士を重なり合うように配設して構成したディスク式スクリーン３Ａを配設し、上記第１実施例と同様のディスク式破砕機からなる２軸回転式破砕機３に隣接するディスク式スクリーン３Ａのスクリーンユニット３０Ａのディスク３２Ａと、破砕機３の破砕ユニット３０のディスク状カッター３２を重なり合うように配設して構成することができる。
これにより、スクリーン渣を破砕機３に確実に導いて破砕することができるとともに、後段の第２次洗浄部の洗浄に用いる水量をより確実に確保することができる。
そして、ここでは、ディスク式スクリーン３Ａを、水流に対して斜方向に配列するとともに、一方のガイド板２４をディスク式スクリーン３Ａより上流側で斜方向に配置し、他方のガイド板２５をこれより下流側で斜方向に配置し、両ガイド板２４，２５とディスク式スクリーン３Ａにてスクリーン渣を破砕機３に導き、破砕して、第２次洗浄部２ｃに向けて移送するようにしている。
【００２５】
なお、この第２実施例のスクリーン渣の処理システムのその他の構成は、第１実施例のものと同様であるため、以下、再び、第１実施例について説明する。
【００２６】
また、処理槽２の第２次洗浄部２ｃには、移送ポンプ５の吸込管５１の接続部の上流側の略中間位置に、攪拌機４を配設し、これにより、スクリーン渣を確実に洗浄するとともに、水中でスクリーン渣を拡散することによって、移送ポンプ５の閉塞を防止し、スクリーン渣をスクリーン渣分離機７に向けて円滑に移送するようにする。
【００２７】
第２次洗浄部２ｃに設置する攪拌機４は、水中でスクリーン渣を機械的に攪拌し、洗浄を行うように形成した攪拌羽根４１を、モータ４２にて回転させるように構成したもので、図４に示すように、処理槽２の両側の側壁に設置し、これにより、破砕部２ｂにて破砕されたスクリーン渣を、第２次洗浄部２ｃに存在する洗浄水と強制的に攪拌し、洗浄した後、スクリーン渣を水中に拡散した状態で、吸込管５１を介して、移送ポンプ５に吸引されるようにする。
【００２８】
なお、処理槽２には、必要に応じて、適宜位置にオーパーフロー部２６を形成することができる。
【００２９】
処理槽２の外に配設した移送ポンプ５には、無閉塞形ポンプを用い、その吸込管５１を処理槽２の第２次洗浄部２ｃの下部位置に接続し、これにより、破砕洗浄されたスクリーン渣を洗浄水と共に吸引できるようにする。
【００３０】
移送ポンプ５の吐出側には、移送管６を接続し、この移送管６をスクリーン渣と洗浄水を分離するスクリーン渣分離機７に接続する。
移送管６は、一般的には、パイプ状のものを使用するようにする。
【００３１】
そして、スクリーン渣分離機７において、スクリーン渣と洗浄水を分離した後、スクリーン分離機７に接続された脱水機８にて、スクリーン渣を所定の含水率になるまで脱水し、貯留ホッパー９に貯留し、適宜トラック等にて搬出するようにする。
【００３２】
【発明の効果】
このスクリーン渣の処理システムによれば、１つの処理槽内に第１次洗浄部、破砕部及び第２次洗浄部をコンパクトに設けるようにしているため、ヘドロ等が付着したスクリーン渣の破砕及び洗浄を小さなスペースで一貫して行うことができるとともに、破砕部が処理槽内に組み込まれて設置されているため、流水トラフの使用が可能となり、スクリーン渣をコンパクトな設備により確実に破砕洗浄して衛生的に処理することができ、また、破砕洗浄後のスクリーン渣を処理槽外に搬送する移送ポンプを処理槽外に配設していることと相俟って、保守を容易に行うことができる。
【００３３】
また、処理槽の第１次洗浄部の上流側の側壁及び底部に給水ノズルを配設することにより、スクリーン渣を給水ノズルから噴射される洗浄水によって確実に第１次洗浄することができるとともに、スクリーン渣の沈澱を防止してスクリーン渣を破砕部に向けて円滑に移送することができる。
【００３４】
また、処理槽の破砕部に、複数枚のディスク状カッターを回転軸に固定した複数の破砕ユニットを、破砕ユニットのディスク状カッター同士を重なり合うように配設して構成したディスク式破砕機を配設することにより、損失水頭が小さく、後段の第２次洗浄部の洗浄に用いる水量を確保することができる。
【００３５】
この場合、処理槽の破砕部の導入部に、複数枚のディスクを回転軸に固定した複数のスクリーンユニットを、隣接するスクリーンユニットのディスク同士を重なり合うように配設して構成したディスク式スクリーンを配設し、ディスク式破砕機に隣接するディスク式スクリーンのスクリーンユニットのディスクと、ディスク式破砕機の破砕ユニットのディスク状カッターを重なり合うように配設することにより、スクリーン渣を破砕機に確実に導いて破砕することができるとともに、後段の第２次洗浄部の洗浄に用いる水量をより確実に確保することができる。
【００３６】
また、処理槽の第２次洗浄部の移送ポンプの吸込管接続部の上流側に、攪拌機を配設することにより、スクリーン渣を確実に洗浄することができるとともに、水中でスクリーン渣を拡散することによって、移送ポンプの閉塞を防止し、破砕洗浄後のスクリーン渣を処理槽外に円滑に搬送することができる。
【図面の簡単な説明】
【図１】本発明のスクリーン渣の処理システムの第１実施例を示す正面図である。
【図２】同平面図である。
【図３】処理槽の断面図である。
【図４】同平面図である。
【図５】本発明のスクリーン渣の処理システムの第２実施例の処理槽の断面図である。
【図６】同平面図である。
【図７】ディスク式破砕機及びディスク式スクリーンを示し、（ａ）は平面図、（ｂ）は正面図である。
【図８】従来のスクリーン渣の処理システムの正面図である。
【図９】同平面図である。
【図１０】ベルトコンベアの説明図である。
【図１１】ジェットポンプによるスクリーン渣の圧送システムの説明図である。
【図１２】破砕機及び水中ポンプを１つの処理槽に設置した従来のスクリーン渣の処理システムの説明図である。
【符号の説明】
１    流水トラフ
２    処理槽
２ａ  第１次洗浄部
２ｂ  破砕部
２ｃ  第２次洗浄部
３    ディスク式破砕機
３Ａ  ディスク式スクリーン
４    攪拌機
５    移送ポンプ
６    移送管
７    スクリーン渣分離機
８    脱水機
９    貯留ホッパー
【図１】
0004146055.tif 000002
【図２】
0004146055.tif 000003
【図３】
0004146055.tif 000004
【図４】
0004146055.tif 000005
【図５】
0004146055.tif 000006
【図６】
0004146055.tif 000007
【図７】
0004146055.tif 000008
【図８】
0004146055.tif 000009
【図９】
0004146055.tif 000010
【図１０】
0004146055.tif 000011
【図１１】
0004146055.tif 000012
【図１２】
0004146055.tif 000013